(57)【要約】【課題】小型化された電子機器及びそれを備えた電子システムを提供する。【解決手段】本発明は、車載機器本体１１０と、車載機器本体１１０の前面を遮蔽及び少なくとも一部を露出するように移動自在に支持された前面パネル１２０とを備え、前面パネル１２０は、ポータブル機器１０を着脱可能に保持する収納部１７０を有し、車載機器本体１１０の前面側には、ＣＤを挿入排出するためのＣＤ挿排口１８０を有する、車載機器１００である。また、ＣＤ挿排口１８０は、車載機器本体１１０の前面において露出が開始される位置に設けられている。【選択図】図３
2008162579.tif 000002
【特許請求の範囲】
【請求項１】
本体機器と、前記本体機器の前面を遮蔽及び少なくとも一部を露出するように移動自在に支持された前面パネルとを備え、
前記前面パネルは、携帯機器を着脱可能に保持する収納部を有し、
前記本体機器の前面側には、記憶媒体を挿入排出するための挿排口を有する、ことを特徴とする電子機器。
【請求項２】
前記挿排口は、前記本体機器の前面において露出が開始される位置に設けられている、ことを特徴とする請求項１に記載の電子機器。
【請求項３】
前記携帯機器は、表示部を備えている、ことを特徴とする請求項１又は２に記載の電子機器。
【請求項４】
前記前面パネルは、所定の位置で停止可能に傾動自在に支持されている、ことを特徴とする請求項１乃至３の何れかに記載の電子機器。
【請求項５】
携帯機器と、前記携帯機器を着脱自在に保持する電子機器とを備え、
前記電子機器は、本体機器と、前記本体機器の前面を遮蔽及び少なくとも一部を露出するように移動自在に支持された前面パネルとを備え、
前記前面パネルは、前記携帯機器を着脱可能に保持する収納部を有し、
前記本体機器の前面側には、記憶媒体を挿入排出するための挿排口を有する、ことを特徴とする電子システム。
【請求項６】
前記携帯機器は、ナビゲーション画像を表示する表示部を備えている、ことを特徴とする請求項５に記載の電子システム。
【発明の詳細な説明】
【技術分野】
【０００１】
本発明は、電子機器及び電子システムに関するものである。
【背景技術】
【０００２】
従来のナビゲーション装置として、パーソナルナビゲーションデバイスと呼ばれる、簡易的ではあるが可搬性を持った小型のポータブルナビゲーション装置（以下、ポータブルナビと呼ぶ）と、車両のダッシュボードに形成された凹部（ＤＩＮ開口）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１乃至４には、車両に搭載された車載機器からナビゲーション部を着脱可能とする構成が開示されている。車載機器からナビゲーション部を取り外すことで、ナビゲーション部をポータブルナビとして単体で使用することが可能となる。
【０００５】
また、特許文献５には、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００６】
特許文献６に開示されている車載機器は、ナビゲーション装置が着脱される部分と、ＣＤ（Compact Disk）を挿入及び排出するための挿入排出口とを有している。
【０００７】
【特許文献１】特開平８‐３１８７９２号公報
【特許文献２】特開２００２‐３２８０２６号公報
【特許文献３】特表２００５‐５２４５７０号公報
【特許文献４】特開２００１‐２３９８９５号公報
【特許文献５】特開２００３‐１６６８４８号公報
【特許文献６】米国特許出願公開第２００２／０１５２０２７号明細書
【発明の開示】
【発明が解決しようとする課題】
【０００８】
特許文献６に開示されている車載機器は、ナビゲーション装置が着脱される着脱部分と、ＣＤの挿入排出口とが隣接している。このため、車載機器の小型化が困難である。
また、ＣＤの大きさは規定されているため、挿入排出口の大きさを変更することはできない。従って、車載機器を小型化するためには、ナビゲーション装置が着脱される部分を小さくする必要があるが、そのためにはナビゲーション装置を小型化する必要があり、ナビゲーション画面が見えにくくなるという恐れがある。
【０００９】
本発明は上記事情に鑑みてなされたものであり、小型化された電子機器及びそれを備えた電子システムを提供することを目的とする。
【課題を解決するための手段】
【００１０】
本発明の一つの態様によれば、本体機器と、前記本体機器の前面を遮蔽及び少なくとも一部を露出するように移動自在に支持された前面パネルとを備え、前記前面パネルは、携帯機器を着脱可能に保持する収納部を有し、前記本体機器の前面側には、記憶媒体を挿入排出するための挿排口を有する、ことを特徴とする電子機器によって達成できる。
【００１１】
この構成により、収納部と挿排口とを同一面上に設けられていないので、電子機器を小型化することができる。特に、前面パネルに占める収納部の割合が大きい場合であっても、電子機器の大型化を抑制できる。従って、大きな携帯機器を着脱可能に保持することができると共に、電子機器の小型化を図ることができる。
【００１２】
上記構成において、前記挿排口は、前記本体機器の前面において露出が開始される位置に設けられている、構成を採用できる。
【００１３】
上記構成において、前記携帯機器は、表示部を備えている、構成を採用できる。
【００１４】
上記構成において、前記前面パネルは、所定の位置で停止可能に傾動自在に支持されている、構成を採用できる。
【００１５】
また、本発明の別の態様によれば、携帯機器と、前記携帯機器を着脱自在に保持する電子機器とを備え、前記電子機器は、本体機器と、前記本体機器の前面を遮蔽及び少なくとも一部を露出するように移動自在に支持された前面パネルとを備え、前記前面パネルは、前記携帯機器を着脱可能に保持する収納部を有し、前記本体機器の前面側には、記憶媒体を挿入排出するための挿排口を有する、ことを特徴とする電子システムによっても達成できる。
【００１６】
上記構成において、前記携帯機器は、ナビゲーション画像を表示する表示部を備えている、構成を採用できる。
【発明の効果】
【００１７】
本発明によれば、小型化された電子機器及びそれを備えた電子システムを提供できる。
【発明を実施するための最良の形態】
【００１８】
添付図面を参照しながら本発明の最良の実施例を説明する。
【００１９】
図１（Ａ）、図１（Ｂ）に電子システムの一例である車載システム１の外観を示す。図１（Ａ）、図１（Ｂ）に示すように車載システム１は、車両に搭載される車載機器１００（電子機器）と、ナビゲーション機能を備えたポータブル機器１０（携帯機器）とから構成される。ポータブル機器１０は、図１Ａに示すように車載機器１００の前面パネル１２０に取り付けて使用したり、図１Ｂに示すように車載機器１００から取り外して使用することができる。
【００２０】
車載機器１００は、ラジオ放送の再生機能や、ＣＤ（Compact Disk）等の記録媒体に書き込まれた音楽データを再生可能な機器であり、ＣＤ再生部やＣＤ挿排口を有する車載機器本体１１０と、表示部１３１や操作部（主操作部）１３２を有する前面パネル１２０とを備えている。
ポータブル機器１０は、目的地までの誘導経路を検索し、地図上に検索した誘導経路を重ねて表示するナビゲーションの機能を備えている。
【００２１】
図２は、ポータブル機器１０を車載機器１００から取り外した状態を示す。車載機器１００の前面パネル１２０には、ポータブル機器１０を装着するための凹部が形成された収納部１７０が設けられている。この収納部１７０には、車載機器１００とポータブル機器１０とを電気的に接続するためのコネクタ１５０（収納部側コネクタ）と、ポータブル機器１０を前面パネル１２０に固定するためのロック機構（不図示）が設けられている。前面パネル１２０に設けた取り外しボタン１６０（取り外し操作部）を操作すると、不図示のロック機構が解除され、車載機器１００からポータブル機器１０が取り外し可能となる。
【００２２】
図３には、前面パネル１２０を車載機器本体１１０に対して傾斜させ、ＣＤ挿排口１８０を露出させた状態を示す。
不図示の駆動機構によって図３に示すスライダー１８１を駆動させることで、前面パネル１２０を車載機器本体１１０に対してチルトさせることができる。チルト動作によって、車載機器本体１１０に設けられたＣＤ挿排口１８０を露出させ、ＣＤの挿排を行うことができる。車載機器１００の前面パネル１２０には、操作ボタン（図６に示すチルト／イジェクトボタン１３２ａ）が設けられており、このボタンの操作に応じたチルト角度に設定することができる。
【００２３】
図４は、車載システム１の車両への搭載例を示す。
車載システム１は、例えば図４に示すように、助手席５１と運転席５２とのほぼ中央のダッシュボード部分に配置される。
尚、図示していないが、後述するＧＰＳ（Global Positioning System）情報受信部１３３のＧＰＳアンテナは、ダッシュボード上に配置、又はフロントガラスの車室内側に貼り付けられる。
【００２４】
図５は、車載システム１の概略構成を示すブロック図である。
車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を接続することで、車載機器１００とポータブル機器１０との間で各種信号が送受信されて車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２５】
車載機器１００は、表示部１３１、操作部１３２、ＧＰＳ情報受信部１３３、ラジオ受信部１３４、ＣＤ再生部１３５、音声調整部１３６、メモリ１３７、マイク１３８、外部音声／映像入力部１３９、制御部１４０、コネクタ１５０を備えている。車載機器１００は、エンジンキーがＡｃｃ又はＩＧの位置にあるときに、車両側のバッテリから電力を供給されて動作する。
【００２６】
以下、各部の機能の詳細について説明する。
表示部１３１は、液晶パネルやバックライトを備え、１３セグメント表示によって受信放送周波数、再生楽曲トラックＮｏ、再生楽曲名等を表示する。
操作部１３２は、車載機器１００の動作モードを切り替えるための操作や、切り替えた各種モードでの操作を行うためのものである。操作部１３２には、図６に示すようにチルト／イジェクトボタン１３２ａ、ファンクション（図中にはＦＵＮＣと表記する）／ＡＦボタン１３２ｂ、ＴＥＸＴボタン１３２ｃ、ＳＣＲＥＥＮボタン１３２ｄ、ＳＯＵＲＣＥ／ＰＷＲボタン１３２ｅ、ＭＯＤＥボタン１３２ｆ、ＭＵＴＥボタン１３２ｇ、ＢＡＮＤ切換ボタン１３２ｈ、ロータリーボタン１３２ｉ、十字キー／エンターキーボタン１３２ｊとからなるボタン群を備える。
【００２７】
ここで、ボタン群の操作によるポータブル機器１０と車載機器１００の表示の切り替えについて説明する。
まず、車載機器１００のＳＯＵＲＣＥ／ＰＷＲボタン１３２ｅを押下することで、車載機器１００がオンされる。また車載機器１００がオンしているときに、ＳＯＵＲＣＥ／ＰＷＲボタン１３２ｅを短押しすることでＣＤ再生やラジオ等のソースの移行が行われる。このとき、車載機器１００の表示部１３１には、選択されたソースにおける情報が表示され、ポータブル機器１０の表示部１１には、ソースに関係なくナビゲーション画像が表示される。
【００２８】
次に、ＳＣＲＥＥＮボタン１３２ｄを押下すると、ポータブル機器１０の表示部１１の表示をナビゲーション画像から車載機器１００で選択されたソースに対応する画像に切り替えることができる。
図７（Ａ）は車載機器１００でＣＤを再生中にポータブル機器１０を装着し、ポータブル機器１０でナビゲーション画像を表示している状態を示している。
図７（Ａ）の状態から、ＳＯＵＲＣＥ／ＰＷＲボタン１３２ｅを押下して、ＣＤ再生からラジオのソースに切換操作を行うと、図７（Ｂ）に示すように、表示部１３１にラジオソースにおける情報が表示される。また、ポータブル機器１０の表示部１１には、ナビゲーション画像が表示されたままである。
【００２９】
次に、ユーザがＳＣＲＥＥＮボタン１３２ｄを押下すると、図７（Ｃ）に示すようにポータブル機器１０の表示部１１に、車載機器１００で処理中のソースに対応する画像が表示される（図７（Ｃ）ではラジオ画像）。ポータブル機器１０の表示部１１には、後述するタッチパネルが設けられており、ユーザはタッチパネルを介して表示部１１に表示される操作ボタンを選択することで、現在処理中のソースに対する操作をすることができる。
【００３０】
また、表示部１１にラジオ画面が表示された状態で、ＳＣＲＥＥＮボタン１３２ｄを押下すると、図７（Ｂ）に示すようにラジオ画像からナビゲーション画像に戻ることができる。ポータブル機器１０が車載機器１００から取り外されている状態では、ＳＣＲＥＥＮボタン１３２ｄの操作は無効となる。
また、ポータブル機器１０が車載機器１００から取り外されている状態で、外部音声／映像入力部１３９にＵＳＢ（Universal Serial Bus）等が接続された場合には、ＳＯＵＲＣＥ／ＰＷＲボタン１３２ｅを押下しても、ＵＳＢのソースには切り替わらないようにすることもできる。
【００３１】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。
【００３２】
尚、ＧＰＳ情報受信部１３３で受信したＧＰＳ信号を制御部２０を介さずに、制御部１４０を介してポータブル機器１０のナビゲーション部に出力するようにしてもよいし、ＧＰＳ情報受信部１３３をＧＰＳアンテナのみで構成し、ＧＰＳアンテナで受信したＧＰＳ信号を、制御部１４０、制御部２０を介さず、後述するＧＰＳ情報受信部１３のチューナに出力するようにしてもよいし、制御部２０は介するが、制御部１４０を介さずＧＰＳ情報受信部１３のチューナに出力するようにしてもよい等、適宜変更が可能である。
【００３３】
ラジオ受信部１３４は、アンテナとチューナ部とを有しており、ＡＭ放送、ＦＭ放送、音声などの多重放送等の放送波を受信して、ステレオ音声信号の出力、多重データの受信、復調を行い、復調信号を制御部１４０に出力する。
ＣＤ再生部１３５は、ＣＤに記録されたデータを読み取って、スピーカ１４５で再生し、再生信号を制御部１４０に出力する。
尚、ラジオ受信部１３４から出力される復調信号を制御部１４０を介さずに、後述する音声調整部１３６に出力するようにしてもよい。
【００３４】
音声調整部１３６は、ラジオ受信部１３４で受信、復調された音声信号や、ＣＤ再生部１３５で再生された音声信号に、音量調整や音質調整等の信号処理をしてスピーカ１４５に出力する。
メモリ１３７は、データの読み出しと書き込みとが可能なＲＡＭ（Random Access Memory）で構成することができ、制御のために必要な情報を一時的に記憶しておく。
マイク１３８は、ハンズフリー通話を行うためのものであって、車室内のユーザの音声を取り込む。
【００３５】
外部音声／映像入力部１３９は、ＵＳＢメモリや、携帯型オーディオ装置等の外部機器との接続端子を備え、外部機器からの音声信号やデータを入力して制御部１４０に送り、制御部１４０からの制御信号、音声信号やデータ等を接続した外部機器に出力する。
制御部１４０は、操作部１３２の操作に従って、ラジオ受信部１３４、ＣＤ再生部１３５、音声調整部１３６などを制御する。
【００３６】
また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。
尚、マイク１３８で入力された音声信号を、制御部１４０を介さずに、コネクタ１５０を介してポータブル機器１０に出力してもよい。
【００３７】
また、制御部１４０は、ポータブル機器１０と接続された携帯電話からの通話音声をコネクタ１５０を介して入力し、音声調整部１３６を介してスピーカ１４５に出力する。
さらに、制御部１４０は、ポータブル機器１０の表示部１１に表示される、各種モードのメニュー画像に対する操作信号をポータブル機器１０の制御部２０から取得し、ラジオ受信部１３４やＣＤ再生部１３５の制御を行う。
また、制御部１４０には、車両に搭載されたバッテリからの電源が入力されている。制御部１４０は、ポータブル機器１０が接続されている場合に、バッテリの電源をポータブル機器１０に出力する。
また、制御部１４０には、車両から車速パルスとイルミ電源信号が入力される。制御部１４０は、入力した車速パルスをポータブル機器１０の制御部２０に転送する。
尚、車載機器１００に車速パルスが入力されない構成であってもよい。
【００３８】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、コネクタ３０を備えている。
【００３９】
以下、各部の機能の詳細について説明する。
表示部１１は、液晶パネルとバックライトとを備え、ナビゲーション部１９で生成された地図情報や目的地までの誘導経路情報、また車載機器１００から転送された受信放送周波数、再生楽曲トラックＮｏ、再生楽曲名等を表示することができる。
【００４０】
尚、表示部１１、１３１には、液晶パネル以外のフラットパネルディスプレイ、例えば、有機ELディスプレイパネル、プラズマディスプレイパネル、冷陰極フラットパネルディスプレイ等を用いることができる。
【００４１】
操作部１２は、タッチパネルや、ポータブル機器１０の電源をオン、オフするための電源ボタン５５（図８（Ａ）参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００４２】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自車位置が割り出される。なお、車載機器１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００４３】
スピーカ１４は、ナビゲーション部１９からの音声情報を出力するためのものであり、ポータブル機器１０が車載機器１００から取り外された状態、つまり単体で使用されるときに、音声情報を出力する。
【００４４】
蓄電池１５は、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット５７（図８（Ａ）参照）を介して接続端末から電力の供給を受けて、蓄電池１５を充電することができる。
【００４５】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００４６】
メモリ１８は、例えば読み出しと書き込みとが可能なＲＡＭであり、各制御のために読み出された情報を一時的に記憶しておく。
ナビゲーション部１９は、ナビゲーションのために利用される地図情報を記憶した後述するＳＤ（Secure Digital）カードやＵＳＢメモリから取得し、記憶する地図情報記憶部を備え、ＧＰＳ情報受信部１３３、又は１３からのＧＰＳ信号によって現在位置情報を割り出し、ナビゲーション動作のための画像を作成する。作成した地図は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。
尚、地図情報はポータブル機器１０内に保持していてもよい。
【００４７】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４やＣＤ再生部１３５を制御する。
【００４８】
図８（Ａ）に、ポータブル機器１０の正面図、上面図、下面図、左側面図、右側面図を示し、図８（Ｂ）にポータブル機器１０の背面図を示す。
ポータブル機器１０の上面には、ポータブル機器の電源をオン、オフさせる電源ボタン５５が設けられており、下面には、ＳＤ（Secure Digital）メモリカードスロット５６、ＵＳＢスロット５７が設けられている。地図情報が記憶されたＳＤカードやＵＳＢメモリをこれらのスロットに差し込むことで、制御部２０は、ＳＤカードやＵＳＢメモリから地図情報を読み出し、ナビゲーション部１９に地図情報を出力する。
【００４９】
ポータブル機器１０の電源は、ポータブル機器を車載機器１００に装着したときには、車載機器１００からの制御によって電源がオン、オフされる。また、車載機器１００から取り外してポータブル機器１０を単体で使用する場合には、電源ボタン５５のオン、オフ操作に基づいて電源が操作される。
【００５０】
さらに、ポータブル機器１０の背面側には、車載機器１００との電気的な接続をとるためのコネクタ３０が設けられている。
また、ポータブル機器１０の右側面側と背面側との隅部には、車載機器１００側に設けたロック機構（不図示）と係合する係止部５８とが設けられている。
係止部５８は、凹部状に形成されている。
ポータブル機器１０左側面には、縦方向に伸長した凹部５９が設けられている。
【００５１】
次に、収納部１７０及びＣＤ挿排口１８０について詳細に説明する。
図３に示したように、収納部１７０は前面パネル１２０に凹部状に形成されており、ＣＤ挿排口１８０は、本体機器１１０の前面に横方向に伸長して設けられている。また、前面パネル１２０は、本体機器１１０の前面を覆う状態と、本体機器１１０の前面の少なくとも一部を露出する状態との間を移行するように傾動自在に支持されている。
【００５２】
このように、収納部１７０とＣＤ挿排口１８０とは、同一面上に配置されていない。従って、同一面上に配置すると、収納部１７０とＣＤ挿排口１８０との干渉を防止するように配置（例えば、収納部１７０を上、若しくは下に配置）する必要があり、車載機器が大型化する恐れがある。
【００５３】
しかし、本実施例に係る車載機器１００のように、本体機器１１０の前面に前面パネル１２０を配置することにより、車載機器１００の奥行方向のスペースを有効利用することができ、車載機器１００の縦方向及び横方向の大きさを小型化することができる。
【００５４】
特に、前面パネル１２０に占める収納部１７０の割合が大きい場合であっても、車載機器１００の大型化を抑制できる。従って、ポータブル機器１０の大きさが大きい場合であっても、着脱可能に保持することができると共に、車載機器１００の小型化を図ることができる。
【００５５】
また、図３に示すように、ＣＤ挿排口１８０は、前面パネル１２０の傾動により、本体機器１１０の前面の露出され始める位置に形成されている。即ち、ＣＤ挿排口１８０は、前面パネル１２０が図１Aに示した起立状態から、図３に示した傾動状態に移行して露出され始める、本体機器１１０の前面側の上部に配置されている。これにより、前面パネル１２０の移動を最小限にして、ＣＤ挿排口１８０を露出させることができる。これにより、ＣＤの挿入及び排出が容易となる。
【００５６】
また、前述したようにポータブル機器１０は、表示部１１を備えているため、ポータブル機器１０を小型化することなく車載機器１００を小型化することができる。従って、ポータブル機器１０の表示部１１についても小型化する必要はない。このため表示部１１への視認性を確保することができる。
【００５７】
また、この表示部１１には、図７に示したようにナビゲーション画像が表示されるので、車載機器１００を小型化することに伴う、ナビゲーション画像への視認性の低下を防止できる。
【００５８】
また前述したように前面パネル１２０は、所定の位置で停止可能に傾動自在に支持されている。この構成により、収納部１７０にポータブル機器１０が装着されている場合には、前面パネル１２０を傾動させることにより、ポータブル機器１０の表示部１１を視認しやすい位置に保持することができる。
【００５９】
以上本発明の好ましい一実施形態について詳述したが、本発明は係る特定の実施形態に限定されるものではなく、特許請求の範囲に記載された本発明の要旨の範囲内において、種々の変形・変更が可能である。
【００６０】
車載機器１００及びポータブル機器１０からなる車載システム１について説明したが、本発明は、車載に限定されるものではない。
【００６１】
更に、ポータブル機器１０をナビゲーション機能付携帯電話、携帯端末（ＰＤＡ）で構成してもよい。例えば、ナビゲーション機能付携帯電話と電子機器との電気的な接続が困難な場合には、無線通信(例えばＢｌｕｅｔｏｏｔｈ)で電気的に接続しておき、機構上電子機器に当該携帯電話を収納させるようにしてもよい。
【００６２】
更に、ＣＤ挿排口１８０及びＣＤ再生部１３５の代わりに、ＭＤ（Mini Disk）、ＤＶＤ（Digital Versatile Disk）、ＳＤメモリカード等の他の記憶媒体の挿排口及び再生部を設けるように構成してもよいし、複数種の記憶媒体の挿排口及び再生部を設けるように構成してもよい。
【図面の簡単な説明】
【００６３】
【図１】図１（Ａ）及び図１（Ｂ）は、車載システムの概略図である。
【図２】図２は、ポータブル機器を車載機器から取り外した状態の概略図である。
【図３】図３は、前面部を車載機器本体に対して傾斜させ、ＣＤ挿排口を露出させた状態の概略図である。
【図４】図４は、車載システムの車両への搭載の例示図である。
【図５】図５は、車載システムの概略構成を示すブロック図である。
【図６】図６は、前面部の正面図である。
【図７】図７（Ａ）乃至図７（Ｃ）は、車載機器での操作とそれ応じたポータブル機器の表示例の説明図である。
【図８】図８（Ａ）及び図８（Ｂ）は、ポータブル機器の概略図である。
【符号の説明】
【００６４】
１  車載システム（電子システム）
１０  ポータブル機器（携帯機器）
１１  表示部
１２  操作部
１３   ＧＰＳ情報受信部
１４  スピーカ
１５  蓄電池
１６  充電回路
１７  無線通信送受信部
１８  メモリ
１９  ナビゲーション部
２０  制御部
３０  コネクタ
５１  助手席
５２  運転席
５５  電源ボタン
５６  メモリカードスロット
５７  ＵＳＢスロット
５８  係止部
５９  凹部
１００  車載機器（電子機器）
１１０  車載機器本体（本体機器）
１２０  前面パネル
１３１  表示部
１３２  操作部
１３２ａ  チルト／イジェクトボタン
１３２ｂ  ＡＦボタン
１３２ｃ  ＴＥＸＴボタン
１３２ｄ  ＳＣＲＥＥＮボタン
１３２ｅ  ＳＯＵＲＣＥ／ＰＷＲボタン
１３２ｆ  ＭＯＤＥボタン
１３２ｇ  ＭＵＴＥボタン
１３２ｈ  ＢＡＮＤ切換ボタン
１３２ｉ  ロータリーボタン
１３２ｊ  十字キー／エンターキーボタン
１３３  ＧＰＳ情報受信部
１３４  ラジオ受信部
１３５  ＣＤ再生部
１３６  音声調整部
１３７  メモリ
１３８  マイク
１３９  外部音声／映像入力部
１４０  制御部
１４５  スピーカ
１５０  コネクタ
１６０  取り外しボタン
１７０  収納部
１７１  凸部
１８０  ＣＤ挿排口
１８１  スライダー
【図１】
2008162579.tif 000003
【図２】
2008162579.tif 000004
【図３】
2008162579.tif 000005
【図４】
2008162579.tif 000006
【図５】
2008162579.tif 000007
【図６】
2008162579.tif 000008
【図７】
2008162579.tif 000009
【図８】
2008162579.tif 000010